(57)【要約】【課題】部屋の複数の照明機器に対し、照明機器単位で、動的要因に応じて自動制御することができる、照明制御システムの提供。【解決手段】所定空間に設けられる複数の照明機器４０を制御する照明制御システム１であって、特定の人の位置情報を発信する発信機３１と、前記発信機の位置を検出する受信機３２と、前記受信機で検出した前記発信機の位置情報に応じて、照明機器単位で制御内容を決定して前記照明機器を制御する、制御手段２０と、を備える、照明制御システム。【選択図】図４
2018032549.tif 000002
【特許請求の範囲】
【請求項１】
所定空間に設けられる複数の照明機器を制御する照明制御システムであって、
特定の人の位置情報を発信する発信機と、
前記発信機の位置情報を検出する受信機と、
前記受信機で検出した前記発信機の位置情報に応じて、照明機器単位で制御内容を決定して前記照明機器を制御する、制御手段と、を備える、
照明制御システム。
【請求項２】
前記所定空間には、画像が投影されるスクリーンが配置されており、
前記照明制御システムは、前記スクリーンの照度を測定して、測定した前記照度を前記制御手段へ送信する照度センサーをさらに備え、
前記制御手段は、送信された前記照度に応じて、前記制御内容を決定する、
請求項１に記載の照明制御システム。
【請求項３】
前記特定の人は発表者であり、前記発表者の音声を検知し、検知した音声を前記制御手段へ送信するマイクを備え、
前記制御手段は、送信された前記音声の有無に応じて、前記制御内容を決定する、
請求項１又は２に記載の照明制御システム。
【請求項４】
前記制御手段は、
前記受信機と前記複数の照明機器との紐付け関係、状況毎の点灯対象となる照明機器、及び前記点灯対象となる照明機器の前記状況毎の調光率を記憶する、記憶手段と、
前記発信機の位置情報に応じて、前記状況毎の点灯対象、前記調光率、及び前記紐付け関係を参照して、前記照明機器単位の制御内容を決定し、前記照明機器に対する制御を指示する、決定手段と、を備える、
請求項１乃至３のいずれか一項に記載の照明制御システム。
【請求項５】
前記複数の受信機と前記複数の照明機器との紐付け関係を任意に変更可能である、
請求項４に記載の照明制御システム。
【請求項６】
状況毎の点灯対象となる照明機器、前記状況毎の各照明機器の調光率は任意に変更可能である、
請求項４に記載の照明制御システム。
【請求項７】
前記所定空間は、前記特定の人と聴衆とで照明機器の調光率が異なる発表モードを含む複数の用途で用いることが可能であり、
前記複数の用途に応じて、前記任意の変更が可能である、
請求項５又は６に記載の照明制御システム。
【請求項８】
前記任意の変更は、前記制御手段と電気通信回線又は有線によって接続可能な情報処理装置を介して指示可能である、
請求項５乃至７のいずれか一項に記載の照明制御システム。
【請求項９】
所定空間に設けられる複数の照明機器を制御する制御方法であって、
発信機によって所定空間における特定の人の位置情報を発信するステップと、
受信機によって、前記発信機の位置情報を検出するステップと、
前記検出した前記発信機の位置情報に応じて、照明機器単位で制御内容を決定して前記照明機器を制御するステップと、有する、
照明制御方法。
【発明の詳細な説明】
【技術分野】
【０００１】
本発明は、照明制御システム及び照明制御方法に関する。
【背景技術】
【０００２】
会議室等の部屋を利用するとき、部屋の用途によって室内の照明の点灯パターンを、動的に、簡単に変更したいというニーズがある。
【０００３】
そのため、特許文献１では、部屋の用途に応じた照明機器（照明器具）の点灯パターンを設定することが提案されている。詳しくは、照明機器の配置を表示させ、その中で点灯させる照明機器の位置を指定することで、複数の照明機器のそれぞれの点灯パターンを、予め部屋の用途に合わせて夫々設定し、その用途の名前を付けて登録しておく。そして、その設定された用途を呼び出すことにより、１回の操作で、部屋の全ての照明機器に対して点灯パターンを変更する。
【発明の概要】
【発明が解決しようとする課題】
【０００４】
しかし、上記特許文献１では、各照明機器に対して各１回設定を行うものにすぎず、人の動きやプロジェクタの電源状態などの動的に変わる要素に応じて、自動で点灯パターンを変えることは、検討されていなかった。
【０００５】
そこで、本発明は上記事情に鑑み、所定空間の複数の照明機器に対し、照明機器単位で、動的要因に応じて自動制御することができる、照明制御システムの提供を目的とする。
【課題を解決するための手段】
【０００６】
上記課題を解決するため、本発明の一態様では、所定空間に設けられる複数の照明機器を制御する照明制御システムであって、
特定の人の位置情報を発信する発信機と、
前記発信機の位置情報を検出する受信機と、
前記受信機で検出した前記発信機の位置情報に応じて、照明機器単位で制御内容を決定して前記照明機器を制御する、制御手段と、を備える、
照明制御システムを提供する。
【発明の効果】
【０００７】
一態様によれば、照明制御システムにおいて、所定空間の複数の照明機器に対し、照明機器単位で、動的要因に応じて自動制御することができる。
【図面の簡単な説明】
【０００８】
【図１】本発明の一実施形態に係る照明制御システムの全体構成について説明する図。
【図２】図１の照明制御システムのハードウエア構成例を示すブロック図。
【図３】図１の照明制御システムのソフトウエア構成例を示す図。
【図４】本発明の照明制御が実施される空間の物理的構成について説明する図。
【図５】図４に示す受信機と調光照明機器のＩＤとの紐付けテーブルの例と、照度センサーと調光照明機器ＩＤとの紐付テーブルの例。
【図６】本発明の一実施形態における、発信機、照度センサー、マイクによる情報発信例と、受信機の検知範囲について説明する図。
【図７】照度センサーにより、照明を切り替える際の説明図であって（ａ）はスクリーン上のＯＮ／ＯＦＦの説明図、（ｂ）は照度閾値の例、（ｃ）は検出された照度値の例。
【図８】音声検知により、照明を切り替える際の説明図であって、（ａ）はマイクのＯＮ／ＯＦＦの説明図、（ｂ）は位置情報を示す受信状態テーブルの例、（ｃ）は音声の有無を示す音声状態テーブルの例。
【図９】ユーザーが、操作端末上で、用途に応じた点灯パターンを設定する際の操作画面の例。
【図１０】ユーザーが、操作端末上で、用途を選択する際の操作画面の例。
【図１１】操作の際に呼び出される情報テーブルであって、（ａ）は用途テーブル、（ｂ）は用途別点灯パターン設定情報テーブル。
【図１２】コントローラーが測位情報を元に制御を行う処理の詳細を説明するシーケンス図。
【図１３】「発表者がいる周辺だけを明るくする」制御方法について説明するシーケンス図。
【図１４】「プロジェクタが映像を投影しているときだけ照明を暗くする」制御方法について説明するシーケンス図。
【図１５】「発表が行われているかどうかにより照明を制御する」制御方法について説明するシーケンス図。
【発明を実施するための形態】
【０００９】
以下、図面を参照して本発明を実施するための形態について説明する。下記、各図面において、同一構成部分には同一符号を付し、重複した説明を省略する場合がある。
【００１０】
＜全体図＞
図１は、本発明の一実施形態に係る照明制御システム１の全体構成について説明する図である。
【００１１】
図１に示す本発明の一実施形態に係る照明制御システム１は、操作端末１０、ホストシステム２０、情報計測装置３０、及び調光照明機器４０を備える。
【００１２】
ユーザーＵは、操作端末１０で、ホストシステム２０が生成した登録済みの用途に応じた点灯パターンや、用途選択リストを参照しながら、操作端末１０上で、用途を選択し、調光照明機器４０の制御をホストシステム２０へ依頼する。
【００１３】
情報計測装置３０は、情報（測位情報、照度情報、音声情報など）を計測し、計測した情報（計測情報）をホストシステム２０へ送信する。
【００１４】
ホストシステム２０は、登録済みの用途に応じた点灯パターンや、用途選択リストを生成する。また、ホストシステム２０は、情報計測装置３０で測定された計測情報（測位情報など）と、操作端末１０を介してユーザーＵによって依頼された任意の設定情報とに基づいて、調光照明機器４０−１〜４０−１２（図５参照）へ制御を指示する。
【００１５】
調光照明機器４０は、光を発して明るくする照明装置であって、各照明機器４０−１〜４０−１２のＯＮ／ＯＦＦや調光率等が、ホストシステム２０からの指示により、制御可能なデバイスである。
【００１６】
図２は、図１の照明制御システム１のハードウエア構成例を示すブロック図である。図２に示すように、ホストシステム２０は、コントローラー２１と、データベース（ＤＢ：Ｄａｔａ  Ｂａｓｅ）２２とを備える。情報計測装置３０は、発信機３１と、受信機３２と、照度センサー３３と、マイク３４と、を備える。
【００１７】
操作端末（情報処理装置）１０は、ユーザーＵが用途に応じた点灯パターンの設定を事前に行ったり、登録済の用途を選択したりするためのデバイスである。操作端末１０は、例えば、ＰＣ、タブレット、スマートフォン等であって、ホストシステム２０と通信可能である。ユーザーＵは、操作端末１０を介して、ホストシステム２０のコントローラー２１へ調光照明機器４０の制御を依頼する。
【００１８】
ホストシステム（制御手段）２０において、コントローラー（決定手段）２１が、予め、登録済みの用途に応じた点灯パターンや、用途選択リストを生成しておく。そして、発表中、コントローラー２１は、発信機３１及び受信機３２、照度センサー３３、マイク３４やなどの情報計測装置３０から受信した計測情報（測位情報、照度情報、音声情報など）と、操作端末１０からの依頼により、調光照明機器４０の制御を指示する。
【００１９】
データベース（記憶手段）２２は、ユーザーインターフェース２１１（図３参照）で設定した用途に応じた点灯パターンや、照度センサー３３と調光照明機器４０との紐付け情報（紐付け関係）、受信機３２と調光照明機器４０との紐付け情報などを記憶する。点灯パターンとは、状況に応じて、点灯対象となる照明機器、消灯対象となる照明機器の、照明機器単位の点灯／消灯状態の割り当てを意味する。
【００２０】
情報計測装置３０において、発信機３１は、測位情報を発信する。受信機３２は、発信機３１から発信される測位情報を受信し、測位情報をコントローラー２１へ送信する。
【００２１】
照度センサー３３は、測定した照度情報をコントローラー２１へ送信する。
【００２２】
マイク３４は、受信した音声情報をコントローラー２１へ送信する。
【００２３】
調光照明機器４０は、コントローラー２１からの指示により制御が行われ、制御された調光量で発光するデバイスである。
【００２４】
各ハードウエア部材１０，２１，３２，３３，３４は、有線ＬＡＮ（Ｌｏｃａｌ  Ａｒｅａ  Ｎｅｔｗｏｒｋ）または無線ＬＡＮ（電気通信回線）により接続され、情報や制御の送受信を行う。
【００２５】
図３は、本発明における照明制御システム１のソフトウエア構成例を示す図である。詳しくは、図３は、ユーザーＵがユーザーインターフェース２１１から行う指示と、情報計測装置３０からの計測情報（照度情報や測位情報など）により、調光照明機器４０の制御を行うシステム全体のソフトウエア構成図である。
【００２６】
本例では、後述する図４に示す物理的構成と対応する図であって、１２個の調光照明機器４０−１〜４０−１２を設け、２個の受信機３２−１，３２−２を設ける例について説明する。
【００２７】
図３、図４に示す、各ハードウエア部材２１，３２，３３，３４，４０には、送受信モジュール２１３，３２１，３３１，３４１，４０１が設けられており、各ハードウエア間で有線又は無線で通信可能（接続可能）である。また、発信機３１と、各受信機３２−１，３２−２とは、無線で通信可能である。
【００２８】
ホストシステム２０のコントローラー２１には、送受信モジュール２１３の他に、ユーザーインターフェース２１１と、制御モジュール２１２とが設けられている。
【００２９】
ユーザーインターフェース２１１は、ユーザーＵが用途に応じた点灯パターンを設定したり、設定した用途を指定して調光照明機器４０−１〜４０−１２へ制御を指示したりすることができる。
【００３０】
制御モジュール２１２は、ユーザーＵがユーザーインターフェース２１１から行う指示と、受け取った計測情報（測位情報、照度情報、音声情報など）から制御データを導出し、送受信モジュール２１３に、調光照明機器４０−１〜４０−１２への制御指示を送信させる。
【００３１】
コントローラー２１の送受信モジュール２１３は、情報計測装置３０の送受信モジュール３２１，３３１，３４１と計測情報の通信や、調光照明機器４０の送受信モジュール４０１と制御情報の通信を行う。
【００３２】
データベース２２は、ユーザーインターフェース２１１で設定した用途に応じた点灯パターンや、照度センサー３３と調光照明機器４０−１〜４０−１２との紐付け関係、受信機３２−１，３２−２と調光照明機器４０−１〜４０−１２との紐付け関係などを、格納する。
【００３３】
受信機３２の、測位モジュール３２２は、発信機３１の発信モジュール３１１が発信する測位情報を受信し、測位情報のデータ化を行う。データ化した測位情報を、送受信モジュール３２１が、ホストシステム２０の送受信モジュール２１３へ送信する。
【００３４】
照度センサー３３の照度計測モジュール３３２は、測定した照度情報のデータ化を行う。データ化した照度情報を、送受信モジュール３３１が、ホストシステム２０の送受信モジュール２１３へ送信する。
【００３５】
マイク３４のマイクモジュール３４２は、検知した音声情報のデータ化を行う。データ化した音声情報（音声情報の有無）を、送受信モジュール３４１が、ホストシステム２０の送受信モジュール２１３へ送信する。
【００３６】
ホストシステム２０の制御モジュール２１２は、ユーザーＵが行う指示と、受け取った計測情報（測位情報、照度情報、音声情報）から制御データを導出し、送受信モジュール２１３に調光照明機器４０−１〜４０−１２への制御指示を送信させる。
【００３７】
夫々の調光照明機器４０−１〜４０−１２の送受信モジュール（送受信ドライバ）４０１は、ホストシステム２０の送受信モジュール２１３から制御要求を受信する。制御ドライバ４０２は、受信した制御要求に従って調光照明機器４０−１〜４０−１２の制御を行う。
【００３８】
＜物理的な構成例＞
図４は、会議室５０に設置されている複数の調光照明機器４０−１〜４０−１２に対する制御を行う際の全体構成を示している。
【００３９】
図５に調光照明機器４０と情報計測装置３０の各計器の紐づけについて説明する図を示す。詳しくは、図５において、（ａ）は、受信機３２と調光照明機器４０との紐づけについて説明するテーブルであって、（ｂ）は、照度センサー３３と調光照明機器４０との紐づけについて説明するテーブルを示す。
【００４０】
なお、図４では、所定空間として会議室を例に説明するが、本発明の照明制御が適用可能な所定空間として、スクリーンを用いて発表会、勉強会、説明会等を行う、セミナールーム、ホール等の部屋や、スクリーンを用いて上映会などを行う屋外であってもよい。この際、所定空間で、特定の人（発表者、演者）と聴衆（生徒、受講者、参加者）とで照明機器の調光率が異なる発表モード（プロジェクタモード）が設定可能であると、好適である。
【００４１】
受信機３２−１，３２−２は、発信機３１の測位情報をホストシステム２０へ送信する。例えば、図４に示すように、ホストシステム２０の、少なくともハードウエア部材であるコントローラー２１は、会議室５０の壁やドアなどの所定空間内に設けられている。
【００４２】
また、使用者Ｕは、コントローラー２１に設けられたユーザーインターフェース２１１に対して設定情報を直接入力してもよいし、あるいは操作端末１０（図６参照）を操作することで設定情報を入力してもよい。
【００４３】
受信機３２と特定の調光照明機器との紐付け（対応付け）が、例えば、図５（ａ）に示すように、予めホストシステム２０のデータベース２２で、記憶されている。なお、データベース２２は、コントローラー２１と一体化していてもよいし、又は、コントローラー２１と通信可能に離間して、例えば、壁の他の部分に埋め込まれていたり、集中制御室などに他の部屋などと一緒にまとめて設置されたりしてもよい。
【００４４】
詳しくは、屋内地図上（例えば、会議室５０）で複数、配置されている調光照明機器４０−１〜４０−１２は、夫々を一意に識別するＩＤ１〜ＩＤ１２が割り当てられている。
【００４５】
また、屋内地図上で存在検知位置の基点とする複数の受信機３２−１，３２−２は、夫々を一意に識別するＩＤ１、ＩＤ２が割り当てられている。
【００４６】
ここで、図５（ａ）は、データベース２２上で記憶される、受信機３２−１，３２−２と調光照明機器４０−１〜４０−１２との紐づけについて説明するテーブル（受信機・調光照明機器紐付けテーブル７１０）を示す。
【００４７】
図５（ａ）に示すように、受信機３２−１，３２−２には、連動する調光照明機器４０−１〜４０−１２を一意に識別するＩＤとして、受信機３２−１に対しては、図４に位置を示す調光照明機器４０−１（ＩＤ１）が、受信機３２−２に対して調光照明機器４０−９（ＩＤ９）が紐付けられている。
【００４８】
コントローラー２１は受信機ＩＤ列の受信機の存在検知により、調光照明機器ＩＤ列のうち、紐付けられた照明機器４０−１，４０−９のＯＮ／ＯＦＦや調光率を制御する。
【００４９】
ホストシステム２０は、受信機３２が発信機３１を持つ発表者Ｐを検知したという測位情報を得ると、紐付けられている調光照明機器４０−１〜４０−１２の調光率を上げ、発表者Ｐ付近を明るくすることができる。
【００５０】
一方、照度センサー３３はスクリーン５２付近に設置され、プロジェクタ５１からスクリーン５２に画像が映し出される際の、スクリーン５２の照度を測定し、測定した照度をホストシステム２０へ送信する。
【００５１】
なお、図４では、スクリーン５２へ映し出すプロジェクタ５１の例として、外部から入力された画像（動画を含む）が投影可能なＬＣＤ（透過型液晶）方式、ＬＣｏＳ（反射型液晶）方式、又はＤＬＰ（Ｄｉｇｉｔａｌ  Ｌｉｇｈｔ  Ｐｒｏｃｅｓｓｉｎｇ）方式のプロジェクタを示している。しかし、スクリーン５２へ投影するプロジェクタの例として、ＯＨＰシートを用いるオーバーヘッドプロジェクタやスライドを用いるスライドプロジェクタ等であってもよい。
【００５２】
照度センサー３３は特定の調光照明機器のＯＮ／ＯＦＦの割り振りが、例えば、図５（ｂ）に示すように、予めホストシステム２０のデータベース２２で記憶されている。
【００５３】
詳しくは、図５（ｂ）は、データベース２２で記憶される、照度センサーと調光照明機器との紐づけについて説明するテーブル（照度センサー・調光照明機器紐付けテーブル７２０）を示す。
【００５４】
照度センサー３３は、プロジェクタ５１からスクリーン５２に映像が映し出される際の照度を測定し、コントローラー２１へ送信する照度センサー３３を一意に識別する、１個の照度センサー（ＩＤ１）が設けられている。なお、照度センサーの数は複数であってもよい。
【００５５】
一般的に、スクリーン５２に画像が投影される場合は、スクリーン５２の周囲が暗い方が、画像がはっきりと映し出され、視聴者にとって見やすくなる。
【００５６】
よって、図５（ｂ）に示すように、照度センサー３３には、連動する調光照明機器４０−１〜４０−１２を一意に識別するＩＤとして、図４に示す、部屋の前側半分の照明機器４０−１，４０−２，４０−５，４０−６，４０−９，４０−１０が紐付けられている。
【００５７】
コントローラー２１は照度センサーＩＤ列の照度センサーの照度情報と、コントローラー２１に予め設定されている照度閾値とを比較してプロジェクタ５１のＯＮまたはＯＦＦを判断し、調光照明機器ＩＤ列のうち、紐付けられた調光照明機器４０−１，４０−２，４０−５，４０−６，４０−９，４０−１０のＯＮ／ＯＦＦや調光を制御する。
【００５８】
ホストシステム２０は、受信した照度情報と、ホストシステム２０に予め設定されている照度閾値とを比較してプロジェクタ５１のＯＮまたはＯＦＦを判断する。ホストシステム２０は、受信した照度情報と照度閾値によりプロジェクタ５１がＯＮであると判断すると、照度と紐付けられている図５（ｂ）に示す調光照明機器の調光率を下げ、プロジェクタ５１がＯＦＦであると判断すると、紐付けられている上記調光照明機器の調光率を上げることができる。
【００５９】
＜発信機の位置の検知＞
図６に、本発明における受信機３２の具体的な検知方法について説明する図を示す。図６は、会議室５０の天井付近に設置されている第１の受信機３２−１、第２の受信機３２−２の検知範囲６０−１，６０−２の例を示している。
【００６０】
第１の受信機３２−１と、第２の受信機３２−２は、所定距離離れて設けられ、一定の時間間隔で測位情報をホストシステム２０へ送信する。
【００６１】
前提として、照明を当てる対象とある発表者Ｐに予めＩＤ情報を埋め込んだ発信機３１を持たせておく。
【００６２】
第１の受信機３２−１の検知範囲（第１の検知範囲）６０−１の範囲内に、発表者Ｐが入った場合、ＩＤ情報を埋め込んだ発信機３１が近距離の無線通信を行う。そして、発信機３１からの測位情報を受信した第１の受信機３２−１が「発表者あり」との測位情報をホストシステム２０へ送信し、ホストシステム２０が第１の受信機３２−１と紐付けられた調光照明機器４０−１（図４参照）の調光率を上げる。
【００６３】
また、第１の受信機３２−１の検知範囲６０−１の範囲から発信機３１を持つ発表者Ｐが離れた場合、「発表者無し」との測位情報をホストシステム２０へ送信し、ホストシステム２０が第１の受信機３２−１と紐付けられた調光照明機器４０−１の調光率を下げる。
【００６４】
また、第２の受信機３２−２の検知範囲（第２の検知範囲）６０−２の範囲内に、発表者Ｐが入った場合も同様の制御を行う。図５（ａ）に示すように第２の受信機３２−２は、調光照明機器４０−９（図４参照）と紐付けられているものとする。
【００６５】
複数の受信機３２−１，３２−２の測位情報と、ホストシステム２０に予め紐付けられている調光照明機器４０−１，４０−９との連動については、発信機３１を持つ発表者Ｐが検知範囲６０−１，６０−２に入ったか否かの測位情報だけでも構わないが、他の方法と組み合わせてもよい。
【００６６】
＜照度センサーによる切り替え＞
図７は、照度センサーにより、照明を切り替える際の説明図であって、（ａ）はスクリーン上のＯＮ／ＯＦＦの説明図、（ｂ）は照度閾値の例、（ｃ）は、検出された照度値の例を示す。
【００６７】
図７（ａ）に示すように、照度センサー３３は、プロジェクタ５１からスクリーン５２へ画像が投影されていないと（プロジェクタ５１がＯＦＦだと）、低い照度を示し、スクリーン５２へ画像が投影されていると（プロジェクタ５１がＯＮだと）、高い照度を示す。
【００６８】
ただし、プロジェクタ５１がＯＦＦであり何も映像が投影されていなくても、周りの照明から影響による反射により、微量の照度があるため、所定の閾値を設けておき、スクリーン５２の照度が所定の閾値を超えたら、プロジェクタ５１がＯＮであると判定するように設定しておく。
【００６９】
ここで、図７（ｂ）に示す照度閾値テーブル７５０に示すように、データベース２２には、照度センサー３３と連動している調光照明機器４０−１〜４０−１２の調光率を変化させるための照度閾値が、格納（記憶、保持）されている。
【００７０】
図７（ｃ）に照度センサー３３で検出された照度センサー値テーブル７６０（照度値テーブル）の例を示す。
【００７１】
ホストシステム２０は、照度センサー３３が検出した照度値を一定間隔で記憶／更新する。そして、照度センサー３３の照度値と、照度閾値テーブル７５０との照度閾値を比較し、プロジェクタ５１のＯＮまたはＯＦＦを判断する。例えば、図７（ｃ）に示すように、測定された照度値が８０％で、図７（ｂ）に示すように照度閾値が３０％の場合は、ホストシステム２０は、プロジェクタ５１がＯＮであると判断する。
【００７２】
このように、照度値と照度閾値との比較結果に応じて、紐付けられた調光照明機器４０−１，４０−２，４０−５，４０−６，４０−９，４０−１０（図４、図５（ｂ）参照）を制御する。
【００７３】
＜マイクとの連動＞
図８は音声検知により、照明を切り替える際の説明図であって、（ａ）はマイクのＯＮ／ＯＦＦの説明図、（ｂ）は位置情報を示す受信状態テーブル、（ｃ）は音声の有無を示す音声状態テーブルを示す。
【００７４】
照明をマイクと連動させる際は、受信機による位置情報との連動が前提となる。詳しくは、前提として、受信機３２−１，３２−２は一定間隔で発信機３１の発信機情報を受信し、図８（ｂ）に示すように、データベース２２の受信状態テーブル７７０では、受信機３２−１，３２−２が受信した発信機情報を、一定間隔で記憶／更新する。これにより、発信機３１を持つ発表者Ｐが検知範囲６０−１，６０−２内に居るか居ないかを判断する。
【００７５】
さらに、発信機３１を持つ検知範囲６０−１，６０−２内に居る発表者Ｐが持つマイク３４からの音声情報（図８（ｃ）に示す、音声状態テーブル７８０）を取得する。
【００７６】
これにより、発信機３１を持つ発表者Ｐがマイク３４を通して発表している間だけ、音声情報に紐付けられている調光照明機器４０−１〜４０−１２（例えば、図４、図５（ａ）に示す調光照明機器４０−１，４０−９）の調光率を上げることができる。そして、発表終了後、マイク３４の音声情報が無くなった時に紐付けられている調光照明機器４０−１〜４０−１２の調光率を下げたりすることもできる。
【００７７】
また発表中での音声情報が無くなる間を想定し、音声情報の途切れる時間の閾値を予めホストシステム２０に設定しておく。この設定により、閾値を超えなければ、発表者Ｐが無言であっても、紐付けられている調光照明機器４０−１〜４０−１２の調光率が発表中に何度も切り替わることがないよう設定すると、好適である。
【００７８】
＜任意設定＞
図９は、ユーザーＵが用途に応じた点灯パターンを設定する際の操作画面について説明する図である。
【００７９】
図９を用いて、図４に示される会議室５０に設置されている複数の調光照明機器４０−１〜４０−１２に対して、ユーザーＵが、操作端末１０（又はコントローラー２１）で、会議室の用途と、その際の点灯パターンを設定する画面について説明する。
【００８０】
部屋別照明設定画面１２０は、図４に示される会議室５０などの部屋を指定し、「プロジェクタモード（発表モード）」などのように指定した部屋の用途を設定する画面である。部屋別照明設定画面１２０で指定した部屋に設置されている調光照明機器４０−１〜４０−１２を１つまたは複数選択し、点灯パターン設定画面１３０を表示させ、設定画面１３０内で詳細を設定する。
【００８１】
設定画面１２０及び１３０を用いて、ユーザーＵは参照用の、受信機３２と複数の照明機器４０との紐付け関係、状況毎の点灯対象となる照明機器、及び前記点灯対象となる照明機器の前記状況毎の調光率などの設定を、任意に変更可能となる。この設定により、会議室５０における照明単位の制御が可能になる。
【００８２】
図９の点灯パターン設定画面１３０は、選択した調光照明機器４０−１〜４０−１２に対するスイッチのＯＮ／ＯＦＦ、調光率（調光量）、その調光率（調光量）を変化させるスピード、発信機３１との連動、マイク３４からの音声との連動、照度センサー３３との連動といった、用途に応じた点灯パターンを設定する場合に使用する画面である。
【００８３】
図１０は、ユーザーＵが用途を選択する際の操作画面について説明する図である。図１０に示す用途選択画面１４０は、図９で設定した部屋毎の用途の一覧を表示し、ユーザーＵが用途を適用させる際の、用途選択の最初の画面である。
【００８４】
詳しくは、用途選択画面１４０は、ユーザーＵが部屋毎に既に登録済みの点灯パターンが設定されている用途名を全て表示し、ユーザーＵが適用させたい用途を選択する画面である。
【００８５】
ユーザーＵが用途を選択すると、設定画面１２０、１３０で選択した部屋に設置されている調光照明機器４０−１〜４０−１２が、選択した用途に設定されている点灯パターンにて制御される。
【００８６】
例えば、対象の部屋を「会議室」、用途を「プロジェクタモード」と選択すると、会議室に設置されている全ての調光照明機器４０−１〜４０−１２が、図９の部屋別照明設定画面１２０及び点灯パターン設定画面１３０で予め登録していた調光照明機器毎に、それぞれ異なる調光率に一度で切り替わる。
【００８７】
その後、ユーザーＵが操作することなく、プロジェクタ５１のＯＮ／ＯＦＦや発表者Ｐの動きと連動して予め紐付けられている特定の調光照明機器４０−１〜４０−１２の調光率が、設定画面１３０で設定された指示に従って、動的に切り替わる。
【００８８】
図１１は、操作の際に呼び出される情報テーブル（データ構造）である。図１１において、（ａ）は用途テーブルを示し、（ｂ）は用途別点灯パターン設定情報テーブルを示す。図１１（ｂ）の示す用途別点灯パターン設定情報テーブル７４０は、図９の部屋別照明設定画面１２０及び点灯パターン設定画面１３０で設定した点灯パターンと、図１０の用途選択画面１４０で表示する用途とを一覧で記憶している。
【００８９】
図１１（ａ）に示す用途テーブル７３０は、部屋の用途を一意に識別するＩＤと、ユーザーＵが部屋別照明設定画面１２０で設定した用途名が記憶される。例えば、照明機器の制御を要する用途例として、プロジェクタモードが「用途ＩＤ：１」として記憶され、打合せモードが「用途ＩＤ：２」として記憶されている。操作端末１０において、図１０に示す用途選択画面１４０で、この用途テーブル７３０を参照し、記憶している用途名を表示させ、ユーザーが用途を選択する。
【００９０】
図１１（ｂ）に示す用途別点灯パターン設定情報テーブル７４０は、用途別に全ての調光照明機器４０−１〜４０−１２に対し、点灯パターン設定画面１３０で設定した点灯パターンを記憶している。
【００９１】
図１１（ｂ）に示す、変化スピードは、用途が選択された際の調光率と変化スピード、受信機と連動した際の調光率（調光量）と変化スピード、照度センサーと連動した際の調光率と変化スピード等の複数の種類を含む。
【００９２】
また、図１１（ｂ）に示すように、打合せモード「用途ＩＤ：２」の場合は、位置情報、スクリーンの照度、音声と、照明との連動が無効（Ｎｕｌｌ）になり、一律な調光率で、部屋全体を照らしている。一方、プロジェクタモード「用途ＩＤ：１」の場合は、設定画面１２０、１３０での設定に応じて、位置情報、スクリーンの照度、音声と、照明との連動が、照明機器単位で有効になる。
【００９３】
＜動作例＞
図１２は、コントローラー２１が測位情報をもとに制御を行う処理の例示的な詳細について説明するシーケンス図である。
【００９４】
情報計測装置３０の中の受信機３２とコントローラー２１との間の通信方式、コントローラー２１が測位情報をもとに調光照明機器４０−１〜４０−１２へ制御を行う処理方法の詳細を以下に記す。
【００９５】
Ｓ１０１：発信機３１の発信モジュール３１１は測位情報を発信する。
【００９６】
Ｓ１０２：いずれかの受信機３２の測位モジュール３２２は測位情報を受信し、測位データを生成する。
【００９７】
Ｓ１０３：受信機３２内において、測位モジュール３２２は、送受信モジュール３２１に測位データの送信を依頼する。
【００９８】
Ｓ１０４：受信機３２の送受信モジュール３２１は、ホストシステム２０のコントローラー２１の送受信モジュール２１３へ測位データを送信する。
【００９９】
Ｓ１０５：コントローラー２１内において、送受信モジュール２１３は測位データの受信を制御モジュール２１２へ通知する。
【０１００】
Ｓ１０６：制御モジュール２１２は測位データによって、点灯パターンを切り替える仕組み（図１３で詳述）に従って制御データを導出する。
【０１０１】
Ｓ１０７：制御モジュール２１２は送受信モジュール２１３に制御データの送信を依頼する。
【０１０２】
Ｓ１０８：ホストシステム２０の送受信モジュール２１３は、制御対象となる調光照明機器４０の送受信モジュール４０１へ制御データを送信する。
【０１０３】
Ｓ１０９：調光照明機器４０内において、送受信モジュール４０１は制御データの受信を制御ドライバ４０２へ通知する。
【０１０４】
Ｓ１１０：制御ドライバ４０２は制御データに従って制御を実行する。
【０１０５】
＜発表者の位置による照明制御＞
図１３は、「発表者がいる周辺だけを明るくする」制御方法について説明するシーケンス図である。図１３を用いて、会議室の利用において「発表者がいる周辺だけを明るくする」制御方法の詳細を説明する。
【０１０６】
まず、Ｓ２０１にて、ユーザー（会議室利用者）Ｕは、操作端末１０の用途選択画面１４０（図１０参照）で、会議室利用用途と、各種設定を選択する。例えば、下記のように選択する。
【０１０７】
用途：「プロジェクタモード」
この際、点灯パターン設定画面１３０（図９参照）にて以下のように設定されているものとする。
受信機連動：「する」
【０１０８】
Ｓ２０２で、操作端末１０が、制御モジュール２１２へ、用途選択画面１４０で選択された用途や設定情報を通知する。
【０１０９】
Ｓ２０３で、制御モジュール２１２は、データベース２２に保存された用途別点灯パターン設定情報テーブル７４０（図１１（ｂ））から、選択された用途における調光制御対象となる調光照明機器４０−１〜４０−１２のリストと、その点灯パターンを問い合わせ、結果を得る。
【０１１０】
Ｓ２０４で、制御モジュール２１２は、取得した調光制御対象となる調光照明機器４０−１〜４０−１２全てに対して、取得した点灯パターンで調光を指示する。例えば、会議室全体の調光率を下げるように指示する。
【０１１１】
Ｓ２０５で、調光照明機器４０の制御ドライバ４０２が、指示された内容で調光率を制御する。
【０１１２】
Ｓ２０１〜Ｓ２０５が発表前の準備工程となる。下記、発表中の連動動作となる。
【０１１３】
Ｓ２０６で、発表者Ｐに携行されている発信機３１は、一定間隔毎に、発信機３１を持つ発表者Ｐの測位情報を発信する。
【０１１４】
測位情報が発信されると、Ｓ２０７で、会議室前方の発表位置付近に予め設置されている受信機３２−１，３２−２は、発信機３１からの測位情報を受信した場合は「受信：有」、発信機３１からの測位情報を受信しなかった場合は「受信：無」という測位データを、制御モジュール２１２へ通知する。
【０１１５】
Ｓ２０８で、制御モジュール２１２は、発表者情報の有無を示す受信機３２の受信結果（受信状態）を、データベース２２の受信状態テーブル７７０（図８（ｂ）参照））に格納する。
【０１１６】
制御モジュール２１２は一定間隔毎に、以下（１）〜（３）を問い合わせる。
【０１１７】
Ｓ２０９（１）：受信状態テーブル７７０に、受信状態（発表者情報の有無）を問い合わせる。
【０１１８】
Ｓ２１０（２）：受信機・調光照明機器紐付けテーブル７１０（図５（ａ）参照）に、受信機と紐付けられている調光照明機器（＝発表者付近の調光照明機器）がどれであるかを問い合わせる。
【０１１９】
Ｓ２１１（３）：用途別点灯パターン設定情報テーブル７４０（図１１（ｂ）参照）に、受信機と紐付けられている調光照明機器（＝発表者付近の調光照明機器）の点灯パターンを問い合わせる。
【０１２０】
Ｓ２１２：制御モジュール２１２は、このように取得した状況と、紐付けられた照明機器、設定状況に応じて、照明機器４０の制御を指示する。
【０１２１】
例えば、「受信：有」（発表者が領域内に居る）の状態へ切り替わった場合、用途別点灯パターン設定情報テーブル７４０の「受信機連動時調光率」に設定されている値で、その受信機３２と紐付けられている調光照明機器（例えば４０−１）に対して、調光率を変化させ、発表者の周りだけ、明るくなるように制御する。
【０１２２】
一方、「受信：無」（発表者が領域内に居ない）の状態へ切り替わった場合、用途別点灯パターン設定情報テーブル７４０の「調光率」に設定されている値で、その受信機３２と紐付けられている調光照明機器（例えば４０−１）に対して、調光率を変化させ、発表者Ｐの周辺の照明の調光率を全体と同様に戻す。
【０１２３】
Ｓ２１３：このように取得した位置情報と、紐付けられた照明機器、設定状況に基づいて指示された制御内容に応じて、照明機器４０が制御される。
【０１２４】
この動作により、本発明では照明機器を操作することなく発表者のいるところだけ、照明を当てることができる。
【０１２５】
＜プロジェクタのＯＮ／ＯＦＦによる照明制御＞
図１４は、「プロジェクタが映像を投影しているときだけ照明を暗くする」制御方法について説明するシーケンス図である。図１４を用いて、会議室の利用において、「プロジェクタが映像を投影しているときだけ照明を暗くする」制御方法の詳細を説明する。
【０１２６】
Ｓ３０１：会議室利用者Ｕは用途選択画面１４０（図１０参照）にて、会議室利用用途を下記のように選択する。
用途：「プロジェクタモード」
ここで、点灯パターン設定画面１３０（図９参照）にて以下のように設定されているものとする。
照度センサー連動：「する」
【０１２７】
Ｓ３０２：操作端末１０が、制御モジュール２１２へ、用途選択画面１４０で選択された用途や設定を通知する。
【０１２８】
Ｓ３０３：制御モジュール２１２は、用途別点灯パターン設定情報テーブル７４０に、選択された用途における調光制御対象となる調光照明機器４０−１〜４０−１２のリストと、その点灯パターンを問い合わせ、結果を得る。
【０１２９】
Ｓ３０４：制御モジュール２１２は、取得した調光制御対象となる調光照明機器４０−１〜４０−１２全てに対して、取得した点灯パターンで調光を指示する。例えば会議室全体の調光率を下げる。
【０１３０】
Ｓ３０５で、調光照明機器４０の制御ドライバ４０２が、指示された内容で調光率を制御する。
【０１３１】
Ｓ３０１〜Ｓ３０５が発表前の準備工程となる。下記、発表中の連動動作となる。
【０１３２】
プロジェクタ５１はスクリーン５２に向けて映像を投影または投影終了し、スクリーン５２付近に予め設置されている照度センサー３３は、Ｓ３０６でスクリーン５２付近の照度を検知する。
【０１３３】
Ｓ３０７で、照度センサー３３は一定間隔毎に、制御モジュール２１２に照度値を送信する。
【０１３４】
Ｓ３０８で、制御モジュール２１２は、データベース２２の照度センサー値テーブル７６０（図７（ｃ）参照）に照度値を格納する。
【０１３５】
制御モジュール２１２は一定間隔毎に、以下（１）〜（５）を実施する。
【０１３６】
Ｓ３０９（１）：照度センサー値テーブル７６０に、照度値を問い合わせる。
【０１３７】
Ｓ３１０（２）：照度閾値テーブル７５０（図７（ｂ）参照）に、照度閾値（閾値）を問い合わせる。
【０１３８】
Ｓ３１１（３）：Ｓ３０９（１）で問い合わせた照度値と、Ｓ３１０（２）で問い合わせた照度閾値を比較する。
ここで、ホストシステム２０は「計測された照度値＞閾値」の場合、「プロジェクタに映像が投影されている」と判断し、「照度値≦閾値」の場合、「プロジェクタに映像が投影されていない」と判断する。
【０１３９】
Ｓ３１２（４）：照度センサー・調光照明機器紐付けテーブル７２０（図５（ｂ）参照）に、照度センサーと紐付けられている調光照明機器を問い合わせる。
【０１４０】
Ｓ３１３（５）：用途別点灯パターン設定情報テーブル７４０（図１１（ｂ）参照）に、照度センサーと紐付けられている調光照明機器の点灯パターンを問い合わせる。
【０１４１】
Ｓ３１４：制御モジュール２１２は、照度センサー３３と紐付けられている調光照明機器４０−１〜４０−１２に対して、下記のように制御を指示する。
【０１４２】
「プロジェクタに映像が投影されている」状態へ切り替わった場合、用途別点灯パターン設定情報テーブル７４０の「照度センサー連動時調光率」に設定されている値で調光率を変化させる。詳しくは、プロジェクタが映像を投影しているときだけ、スクリーン５２の周辺であって、照度センサー３３に紐付けられている照明機器を暗くする。
【０１４３】
「プロジェクタに映像が投影されていない」状態へ切り替わった場合、用途別点灯パターン設定情報テーブル７４０の「調光率」に設定されている値で調光率を変化させる。例えば、照度センサー３３に紐付けられている照明機器を、全体と同様に戻す。
【０１４４】
Ｓ３１５：このように取得した照度状況と、紐付けられた照明機器、設定状況に基づいて指示された制御内容に応じて、照明機器４０が制御される。
【０１４５】
この動作により、本発明では照明機器を操作することなく、プロジェクタの電源がＯＦＦとなった時は部屋全体を明るく、電源がＯＮとなった時は暗くすることができる。
【０１４６】
なお、上記説明した照度センサーに応じた照明の制御を、図１３に示す発表者の位置情報に応じた照明の制御と組み合わせてもよい。
【０１４７】
＜音声による連動＞
図１５は、「発表が行われているかどうかにより照明を制御する」制御方法について説明するシーケンス図である。図１５を用いて、会議室の利用において「発表者がいる周辺だけを明るくする」制御方法の詳細を説明する。
【０１４８】
Ｓ４０１：会議室利用者Ｕは用途選択画面１４０（図１０参照）にて、会議室利用用途を選択する。
用途：プロジェクタモード
この際、点灯パターン設定画面１３０（図９参照）にて、以下のように設定されているとする。
受信機連動  ：する
音声連動    ：する
【０１４９】
Ｓ４０２：操作端末１０が、制御モジュール２１２へ、用途選択画面１４０で選択された用途や設定情報を通知する。
【０１５０】
Ｓ４０３：制御モジュール２１２は、用途別点灯パターン設定情報テーブル７４０に、選択された用途における調光制御対象となる調光照明機器４０−１〜４０−１２のリストと、その点灯パターンを問い合わせ、結果を得る。
【０１５１】
Ｓ４０４：制御モジュール２１２は、取得した調光制御対象となる調光照明機器４０−１〜４０−１２全てに対して、取得した点灯パターンで調光を指示する。例えば、会議室全体の調光率を下げる。
【０１５２】
Ｓ４０５で、調光照明機器４０の制御ドライバ４０２が、指示された内容で調光率を制御する。
【０１５３】
Ｓ４０１〜Ｓ４０５が発表前の準備工程となる。下記、発表中の連動動作となる。
【０１５４】
Ｓ４０６：発信機３１は一定間隔毎に、発信機３１を持つ発表者Ｐの測位情報を発信する。
【０１５５】
Ｓ４０７：会議室前方の発表位置付近に予め設置されている受信機３２−１，３２−２は、発信機３１からの測位情報を受信した場合は「受信：有」、発信機３１からの測位情報を受信しなかった場合は「受信：無」という測位データを制御モジュール２１２へ通知する。
【０１５６】
Ｓ４０８：制御モジュール２１２は、発表者情報の有無を示す受信機３２の受信結果（受信状態）を、データベース２２の受信状態テーブル７７０（図８（ｂ）参照））に格納する。
【０１５７】
ここで、発表者Ｐが、何らかの発言をすると（Ｓ４０９）、発表している期間中、マイクは、音声データを発信する（Ｓ４１０）。
【０１５８】
Ｓ４１１：ホストシステム２０にある送受信モジュール２１３に含まれる音声ドライバは、発表者Ｐが発表している際に使用しているマイク３４からの音声データを受信する。
【０１５９】
制御モジュール２１２は一定間隔毎に、以下（１）〜（５）を実施する。
【０１６０】
Ｓ４１２（１）：受信状態テーブル７７０に、発表者の有無を示す発信機３１の受信状態を問い合わせる。
【０１６１】
Ｓ４１３（２）：ホストシステム２０にある音声ドライバ（音声状態テーブル７８０（図８（ｃ）参照））に、音声入力を問い合わせる。
【０１６２】
Ｓ４１４（３）：発表者の情報と音声入力情報により発表の有無を判断する。
例えば、受信状態：「有」（発表者：有）、且つ音声入力：「有」の場合、「発表が行われている」と判断する。
上記以外の場合、「発表が行われていない」と判断する。
【０１６３】
Ｓ４１５（４）：受信機・調光照明機器紐付けテーブル７１０（図５（ａ）参照）に、受信機と紐付けられている調光照明機器（＝発表者付近の調光照明機器）を問い合わせる。
【０１６４】
Ｓ４１６（５）：用途別点灯パターン設定情報テーブル７４０（図１１（ｂ）参照）に、受信機と紐付けられている調光照明機器（＝発表者付近の調光照明機器）の点灯パターンを問い合わせる。
【０１６５】
Ｓ４１７：制御モジュール２１２は、受信機と紐付けられている調光照明機器４０−１〜４０−１２に対して、下記のように制御を指示する。
【０１６６】
「発表が行われている」と判断される状態になると、用途別点灯パターン設定情報テーブル７４０の「受信機連動時調光率（調光量）」に設定されている値で調光率を変化させる。即ち、発表が行われている場合だけ、発表者付近を明るくする。
【０１６７】
「発表が行われていない」と判断される状態になると、用途別点灯パターン設定情報テーブル７４０の「調光率（調光量）」に設定されている値で調光率を変化させる。即ち、発表が行われていない場合、全体と同様に戻す。
【０１６８】
Ｓ４１８：このように取得した状況（発表状況）と、紐付けられた照明機器と、設定状況とに基づいて指示された制御内容に応じて、照明機器４０が制御される。
【０１６９】
この動作により、本発明では照明機器を操作することなく、発表者の存在の有無、及び発表の有無に連動して、部屋の照明を調整することができる。
【０１７０】
例えば会議室でプロジェクタ利用時では、今までは１回の操作でプロジェクタ付近の前方を暗く、人が在席している後方は少し明るめにするということはできたが、それに加えて本発明では照明機器を操作することなく発表者が発表している時だけ発表者付近を明るくすることができる。
【０１７１】
なお、上記説明した、位置情報及び音声情報に応じた照明の制御を、図１４に示す照度センサーに応じた照明の制御と組み合わせてもよい。
【０１７２】
上述のように、本発明の制御により、部屋の複数の照明機器に対し照明機器単位で用途に応じた点灯パターンを動的に設定可能であり、さらに動き等の動的要因に応じて点灯パターンを自動制御することができる。
【０１７３】
以上、本発明の好ましい実施形態について詳述したが、本発明は係る特定の実施形態に限定されるものではなく、特許請求の範囲に記載された本発明の実施形態の要旨の範囲内において、種々の変形、変更が可能である。
【符号の説明】
【０１７４】
１０  操作端末（情報処理装置）
２０  ホストシステム（制御手段）
２１  コントローラー（決定手段）
２２  データベース（ＤＢ、記憶手段）
３０  情報計測装置
３１  発信機
３２−１，３２−２  受信機
３３  照度センサー
３４  マイク
４０−１，４０−２，４０−３，４０−４，４０−５，４０−５，４０−６，４０−７，４０−８，４０−９，４０−１０，４０−１１，４０−１２  調光照明機器（照明機器）
５０  部屋（会議室、所定空間）
５１  プロジェクタ
５２  スクリーン
６０−１，６０−２  検知範囲
Ｕ  ユーザー
Ｐ  特定の人（発表者）
【先行技術文献】
【特許文献】
【０１７５】
【特許文献１】特許５，７７７，４５４号
【図１】
2018032549.tif 000003
【図２】
2018032549.tif 000004
【図３】
2018032549.tif 000005
【図４】
2018032549.tif 000006
【図５】
2018032549.tif 000007
【図６】
2018032549.tif 000008
【図７】
2018032549.tif 000009
【図８】
2018032549.tif 000010
【図９】
2018032549.tif 000011
【図１０】
2018032549.tif 000012
【図１１】
2018032549.tif 000013
【図１２】
2018032549.tif 000014
【図１３】
2018032549.tif 000015
【図１４】
2018032549.tif 000016
【図１５】
2018032549.tif 000017